(57)【要約】【課題】  動画撮影中に静止画を同時に撮影する際、特に連写時に高精細な静止画を得ること。【解決手段】  メインメモリに一旦、データバッファリングして各種処理を行う撮像装置において、撮影モード、動画符号化処理に応じて、静止画のキャプチャタイミングを適応的に切り替えることにより、メインメモリのアクセスの集中を極力抑え、システムを破綻させることなく、高精細な静止画を得る。【選択図】  図１
2010034765.tif 000002
【特許請求の範囲】
【請求項１】
撮像手段から入力された映像、あるいは音声入力手段から入力された音声情報を該デジタルカメラ、デジタルビデオカメラの有する記録媒体に記録し、
該記録媒体に記録された映像、音声情報を記録媒体から読み出し、再生することのできる記録再生装置において、
メインメモリを共有し、各種信号処理を実行する際に該メインメモリに対し、フレームデータを書き込み、あるいは読み込み、信号処理タイミングを調整し、フレーム単位で信号処理及び符号化信号処理を実行していくと共に、
動画、静止画の同時撮影（記録）中の静止画処理フレームと動画処理フレームに応じて、静止画の処理タイミングを制御する手段を有することを特徴とする記録再生装置。
【請求項２】
動画、静止画の同時撮影（記録）中の静止画の連写時に静止画処理フレームと動画処理フレームに応じて、静止画の処理タイミングを制御する手段を有することを特徴とする請求項１に記載の記録再生装置。
【請求項３】
動画、静止画の同時撮影（記録）中の静止画の連写時に静止画処理フレームと動画処理フレームに応じて、静止画の処理タイミングを制御する手段を有し、連写時の２枚目以降の静止画処理タイミングを制御する特徴とする請求項１、又は請求項２に記載の記録再生装置。
【請求項４】
動画、静止画の同時撮影（記録）中の静止画の連写時に静止画処理フレームと動画処理フレームに応じて、静止画の処理タイミングを制御する手段を有し、該静止画の処理タイミングを動画処理フレームがＢピクチャ以外になるように静止画キャプチャトリガタイミングを遅延させることを特徴とする請求項１〜請求項３のいずれかに記載の記録再生装置。
【請求項５】
動画、静止画の同時撮影（記録）中の静止画の連写時に静止画処理フレームと動画処理フレームに応じて、静止画の処理タイミングを制御する手段を有し、該静止画の処理タイミングを静止画取り込みタイミングに最も近いＢピクチャ以外の動画処理フレームになるように静止画キャプチャトリガタイミングを遅延させることを特徴とする請求項１〜請求項３のいずれかに記載の記録再生装置。
【請求項６】
動画、静止画の同時撮影（記録）中の静止画の連写時に静止画処理フレームと動画処理フレームに応じて、静止画の処理タイミングを制御する手段を有し、該静止画の処理タイミングを撮影モードに応じて、制御することを特徴とする請求項１〜請求項５のいずれかに記載の記録再生装置。
【発明の詳細な説明】
【技術分野】
【０００１】
本発明は、デジタルカメラ、デジタルビデオカメラのように撮像手段から入力された映像、あるいは音声入力手段から入力された音声情報を該デジタルカメラ、デジタルビデオカメラの有する記録媒体に記録し、該記録媒体に記録された映像、音声情報を記録媒体から読み出し、再生することができ、更に動画撮影時に静止画も同時に撮影できる撮像装置において、静止画連写時にシステムを破綻させることなく、高精細な静止画を得ることを可能とする手法に関するものである。
【背景技術】
【０００２】
デジタルカメラ、デジタルビデオカメラ等の撮像装置、特に撮影画像に対する各種信号処理を実行する際、メインメモリ（例えば、ＳＤＲＡＭ）に一旦、データをバッファリングして該各種処理を実行するシステムにおいて、動画撮影時に静止画を同時に撮影する際、動画符号化フレームの種類によっては、メインメモリ（例えば、ＳＤＲＡＭ）のアクセスが集中し、システムが破綻してしまう。
【０００３】
このような場合、該メインメモリにアクセスできず、その結果、記録媒体に撮影画像を記録できなくなる。
【０００４】
また、ユーザーは撮影中に、記録媒体に撮影画像を記録できなくなっていることに気がつかず、記録媒体に記録されている映像、音声信号を再生する際に初めて記録媒体に撮影画像を記録されていないことに気がつくということが起こる可能性がある。
【０００５】
また、動画撮影時に静止画を同時に撮影する際、システムを破綻させることを回避するため、動画・静止画同時撮影時に静止画処理は、動画処理が行われていない期間に行う（シャッタボタンを押印後、動画処理を行っていないタイミングまで遅延する）手法も考えられる。（例えば、特許文献１参照）
【特許文献１】特開２００５−８００５９号公報
【発明の開示】
【発明が解決しようとする課題】
【０００６】
デジタルカメラ、デジタルビデオカメラ等の撮像装置において、特に撮影画像に対する各種信号処理を実行する際、メインメモリ（例えば、ＳＤＲＡＭ）に一旦、データをバッファリングして該各種処理を実行するシステムにおいて、動画撮影時に静止画を同時に撮影する際、動画符号化フレームの種類によっては、メインメモリ（例えば、ＳＤＲＡＭ）のアクセスが集中し、システムが破綻してしまう。
【０００７】
今後、撮像装置の高解像度化が進んでいくと、更にＳＤＲＡＭの帯域が圧迫されることが懸念され、それを回避するためにメインメモリとなるＳＤＲＡＭの容量が大きなシステム、あるいは、メインメモリとなるＳＤＲＡＭを複数有するシステムも考えられる。しかし、その結果、コストアップにつながる。
【０００８】
また、動画撮影時に静止画を同時に撮影する際、システムを破綻させることを回避するため、動画・静止画同時撮影時に静止画処理は、動画処理が行われていない期間に行う（シャッタボタンを押印後、動画処理を行っていないタイミングまで遅延する）手法においても、ユーザーの操作によるシャッタボタン押印のタイミングから動画処理を行っていないタイミングまで遅延させるため、動画処理の状況によっては、該シャッタボタンの押印からの遅延量が増大することが考えられる。特に動画撮影中の静止画の連写時には、該遅延量が更に増大する可能性がある。
【０００９】
その結果、静止画連写周期が大きく変動してしまう。
【００１０】
本発明は、撮影画像に対する各種信号処理を実行する際、メインメモリ（例えば、ＳＤＲＡＭ）に一旦、データをバッファリングして該各種処理を実行するシステムの動画、静止画の同時記録時の静止画連写において、システムを破綻させることなく、高精細な静止画を得ることを目的とする。
【課題を解決するための手段】
【００１１】
上記目的を達成するために、本発明は、デジタルカメラ、デジタルビデオカメラ等の撮像装置、特に高解像度の静止画を扱うシステムにおいて、メインメモリ（例えば、ＳＤＲＡＭ）に一旦、データをバッファリングして各種信号処理を実行する場合、撮影モード、動画符号化処理に応じて、静止画のキャプチャのタイミングを適応的に切り替えることにより、画質低下を抑制し、システムを破綻させず、動画、静止画同時撮影時の静止画を記録可能とすることを特徴とする。
【発明の効果】
【００１２】
本発明によれば、デジタルカメラ、デジタルビデオカメラ等の撮像装置、特に高解像度の静止画を扱うシステムにおいて、例えば、ポートレートモードの連写記録時において、２枚目以降の静止画キャプチャタイミングを動画処理フレームに応じて、適応的に切り替えることにより、画質を劣化させることなく、画質を優先させ、システムの破綻を抑制し、かつ静止画キャプチャ周期の変動を最低限に抑え、高画質で静止画を記録できる。
【発明を実施するための最良の形態】
【００１３】
次に、本発明の詳細を実施例の記述に従って説明する。
【実施例１】
【００１４】
図１に本発明の第一の実施例に関わるデジタルカメラ、デジタルビデオカメラ等の撮像装置の構成図を示す。
【００１５】
図中、１０１はフォーカスレンズ、１０２はＣＣＤ等の撮像素子、１０３は撮像素子から得られる信号をディジタル信号信号に変換するＡ／Ｄ変換部、１０４はディジタル信号変換された撮像素子からの信号を処理するカメラ信号処理部、１０５は、高精細な静止画生成のためにインターレースからプログレッシブに変換するＩＰ変換部、１０６はＪＰＥＧ等の符号化処理を行う静止画符号化部、１０７は、ＪＰＥＧ等の静止画符号化手段にて符号化された静止画データを格納するＳＤカード等の記録部、１０８は、リサイズされたデータを符号化する動画符号化部、１０９は映像信号と音声情報入力手段であるマイクロフォン（不図示）からの音声情報信号を記録するフォーマットに変換する記録信号処理部であり、更に、音声データを復号処理し、音声信号としてスピーカー（不図示）に送る。１１０は映像情報、音声情報を記録する記録媒体である。１１１は、デジタルカメラ、デジタルビデオカメラ等の撮像装置のシステム制御を行う中央演算装置（以下、ＣＰＵ）であり、１１２は、各信号処理部と符号化手段にて処理されたデータを一旦、格納するＳＤＲＡＭ等のメインメモリであり、該各機能ブロックは、該メインメモリ１１２をシェアして使用しており、該メインメモリ１１２を介して信号処理データの受け渡しをおこなっている。１１３は、各機能ブロックからメインメモリ１１３に対するアクセス要求を制御するメモリ制御部である。
【００１６】
図１のデジタルカメラ、デジタルビデオカメラ等の撮像装置による動画、静止画の同時記録（同時撮影）時の静止画記録において、静止画、動画に対する信号処理フレームと動画符号化フレームのうちBピクチャ処理が重複した場合の処理タイミングを図２に示す。
【００１７】
図２に示すようにメインメモリ１１２に対するカメラ信号処理部１０４、ＩＰ変換部１０５、静止画符号化部１０６、動画符号化部１０８からのアクセスが集中し（メモリ１１２に対するＷｒｉｔｅ、Ｒｅａｄ要求）、システムが破綻してしまう。特に動画撮影中の静止画の連写記録時に顕著である。
【００１８】
ＩＰ変換部１０５において、処理に必要な２フレームは、ＮフレームとＮ−１フレームであり、前者は現在、撮像素子１０２から得られるフレーム信号であり、後者は１フレーム前のフレーム信号である。該ＩＰ変換部１０５における処理に必要な２つのフレーム信号のうちＮ−１フレーム信号は、メモリ１１２格納されているため、処理を行う際、該メモリ１１２から読み出してくる。
【００１９】
動画符号化部１０８において、動画符号化フレームがBピクチャの場合、双方向予測符号化ピクチャとなるため、過去と将来のＩピクチャまたはＰピクチャの２フレームが必要となる（参照フレームが複数）。そのため、動画符号化部１０８からのメインメモリ１１２に対するアクセスが増え、システムにおいて各機能ブロックからの該メインメモリに対するアクセスが最も集中する。
【００２０】
このような場合、メモリコントローラ１１３によって、各機能ブロックからのアクセス要求の調停が行われ、メインメモリ１１２に対するアクセスが待たされる処理が発生する。
【００２１】
その結果、リアルタイムで処理を実行し、1フレーム内で信号処理を完了させる必要がある映像信号処理システムに破綻する可能性がある。
【００２２】
そこで、デジタルカメラ、デジタルビデオカメラ等の撮像装置として、システムが破綻しない最適な手法を以下に説明する。
【００２３】
図３にポートレートモードの連写記録時における信号処理タイミングチャートを示す。
【００２４】
本実施例では、一例として、連写間隔６コマ／秒とする。
【００２５】
ユーザーが動画撮影中に静止画記録するためにシャッターボタンを押印する。該操作が静止画記録のトリガとなる。本実施例では、連写間隔が６コマ／秒なので、５フレームに１回、静止画キャプチャのタイミングが発生する。尚、該静止画キャプチャのタイミングは、図中、矢印で示しており、矢印上の数字（（１）、（２）、（３））は、連写記録の枚数を表している。
【００２６】
静止画キャプチャタイミング（１）において、撮影された被写体像はフォーカスレンズ１０１を介して、ＣＣＤ等の撮像素子１０２において電気信号に変換され、Ａ／Ｄ変換部１０３にて撮像素子１０２から得られた電気信号をディジタル信号に変換する。該ディジタル信号変換された撮像素子１０２からの電気信号は、カメラ信号処理部１０４にて信号処理されて、メインメモリ１１２に格納される。
【００２７】
更に該カメラ信号処理部１０４からの映像信号（Nフレーム）は、ＩＰ変換部１０５に入力され、該ＩＰ変換部１０５にて、該映像信号（Nフレーム）とメインメモリ１１２から読み出された一つ前のフレームの映像信号（N−1フレーム）によって、ＩＰ変換処理が施され、該IP変換処理後、該ＩＰ変換処理後の映像信号はメインメモリ１１２に書き戻される。
【００２８】
この後、静止画の記録のためにＪＰＥＧ等の符号化処理を行う静止画符号化部１０６にて、該メインメモリ１１２に格納されているIP変換処理された映像信号がメインメモリ１１２から読み出され、静止画符号化され、メインメモリ１１２における静止画処理のみに使用される符号化データが格納される領域に格納される。
【００２９】
その後、ＪＰＥＧ等の静止画符号化手段１０６にて符号化された静止画データを格納するＳＤカード等の記録部１０７に格納される。
【００３０】
また、ＩＰ変換処理を施された映像信号は、メインメモリ１１２から読み出され、動画符号化部１０８にて、符号化され、記録信号処理部１０９にて信号処理を施され、記録媒体１１０に記録される。
【００３１】
静止画キャプチャタイミング（１）における動画処理は、動画符号化部１０８において、Iピクチャを処理している。
【００３２】
静止画連写記録時の２枚目の静止画キャプチャタイミング（２）において、撮影された被写体像はフォーカスレンズ１０１を介して、ＣＣＤ等の撮像素子１０２において電気信号に変換され、Ａ／Ｄ変換部１０３にて撮像素子１０２から得られた電気信号をディジタル信号に変換する。該ディジタル信号変換された撮像素子１０２からの電気信号は、カメラ信号処理部１０４にて信号処理されて、メインメモリ１１２に格納される。
【００３３】
更に該カメラ信号処理部１０４からの映像信号（Nフレーム）は、ＩＰ変換部１０５に入力され、該ＩＰ変換部１０５にて、該映像信号（Nフレーム）とメインメモリ１１２から読み出された一つ前のフレームの映像信号（N−1フレーム）によって、IP変換処理が施され、該IP変換処理後、該IP変換処理後の映像信号はメインメモリ１１２に書き戻される。
【００３４】
この後、静止画の記録のためにＪＰＥＧ等の符号化処理を行う静止画符号化部１０６にて、該メインメモリ１１２に格納されているＩＰ変換処理された映像信号がメインメモリ１１２から読み出され、静止画符号化され、メインメモリ１１２における静止画処理のみに使用される符号化データが格納される領域に格納される。
【００３５】
その後、ＪＰＥＧ等の静止画符号化手段１０６にて符号化された静止画データを格納するＳＤカード等の記録部１０７に格納される。
【００３６】
また、ＩＰ変換処理を施された映像信号は、メインメモリ１１２から読み出され、動画符号化部１０８にて、符号化され、記録信号処理部１０９にて信号処理を施され、記録媒体１１０に記録される。
【００３７】
静止画キャプチャタイミング（２）における動画処理は、動画符号化部１０８において、Ｂピクチャを処理している。
【００３８】
動画信号符号化処理フレームがＢピクチャの場合、動画符号化部１０８にて、符号化する際、双方向予測符号化ピクチャとなるため、過去と将来のＩピクチャまたはＰピクチャの２フレームが必要となる（参照フレームが複数）。そのため、該動画符号化部１０８からのメインメモリ１１２に対するアクセス要求が増え、システムが破綻してしまう可能性がある。
【００３９】
これを回避するために図３における静止画キャプチャタイミング（２）を静止画キャプチャタイミングにおける動画符号化処理フレームをＢピクチャ以外になるように（本実施例ではＰピクチャ）動画符号化部１０８の処理フレーム情報に基づき、同図の白抜き矢印（２）′のタイミングに移動させる。
【００４０】
更に静止画キャプチャタイミング（３）における動画処理に関しても、動画符号化部１０８において、Ｂピクチャを処理している。この場合、静止画キャプチャタイミング（３）を静止画キャプチャタイミングにおける動画符号化処理フレームをＢピクチャ以外になるように（本実施例ではＰピクチャ）動画符号化部１０８の処理フレーム情報に基づき、同図の白抜き矢印（３）′のタイミングに移動させる。
【００４１】
こうすることにより、動画、静止画同時記録において画質を保持しつつ、メインメモリに対するアクセス要求を極力抑制することができ、デジタルカメラ、デジタルビデオカメラ等の撮像装置の撮影システムを破綻させることなく、高精細な静止画を得ることを可能となる。
【実施例２】
【００４２】
本発明の他の実施例について説明する。
【００４３】
本発明の第二の実施例に関わるデジタルカメラ、デジタルビデオカメラ等の撮像装置の構成図は図１と同様である。
【００４４】
図１のデジタルカメラ、デジタルビデオカメラ等の撮像装置による動画、静止画の同時記録（同時撮影）時の静止画記録において、静止画、動画に対する信号処理フレームと動画符号化フレームのうちBピクチャ処理が重複した場合の処理タイミングを図２に示す。
【００４５】
図４に示すようにメインメモリ１１２に対するカメラ信号処理部１０４、ＩＰ変換部１０５、静止画符号化部１０６、動画符号化部１０８からのアクセスが集中し、システムが破綻してしまう。特に動画撮影中の静止画の連写記録時に顕著である。
【００４６】
ＩＰ変換部１０５において、処理に必要な２フレームは、ＮフレームとＮ−１フレームであり、前者は現在、撮像素子１０３から得られるフレーム信号であり、後者は１フレーム前のフレーム信号である。該ＩＰ変換部１０５における処理に必要な２つのフレーム信号のうちＮ−１フレーム信号は、メモリ１１２格納されているため、処理を行う際、該メモリ１１２から読み出してくる。
【００４７】
動画符号化部１０８において、動画符号化フレームがBピクチャの場合、双方向予測符号化ピクチャとなるため、過去と将来のＩピクチャまたはＰピクチャの２フレームが必要となる（参照フレームが複数）。そのため、動画符号化部１０８からのメインメモリ１１３に対するアクセスが増え、各機能ブロックからの該メインメモリに対するアクセスが最も集中する。
【００４８】
このような場合、メモリコントローラ１１３によって、各機能ブロックからのアクセス要求の調停が行われ、メインメモリ１１２に対するアクセスが待たされる処理が発生する。
【００４９】
その結果、リアルタイムで処理を実行し、1フレーム内で信号処理を完了させる必要がある映像信号処理システムに破綻する可能性がある。
【００５０】
そこで、デジタルカメラ、デジタルビデオカメラ等の撮像装置として、システムが破綻しない最適な手法を以下に説明する。
【００５１】
図４にポートレートモードの連写記録時における信号処理タイミングチャートを示す。
【００５２】
本実施例では、一例として、連写間隔６コマ／秒とする。
【００５３】
ユーザーが動画撮影中に静止画記録するためにシャッターボタンを押印する。該操作が静止画記録のトリガとなる。本実施例では、連写間隔が６コマ／秒なので、５フレームに１回、静止画キャプチャのタイミングが発生する。尚、該静止画キャプチャのタイミングは、図中、矢印で示しており、矢印上の数字（（１）、（２）、（３））は、連写記録の枚数を表している。
【００５４】
静止画キャプチャタイミング（１）において、撮影された被写体像はフォーカスレンズ１０１を介して、ＣＣＤ等の撮像素子１０２において電気信号に変換され、Ａ／Ｄ変換部１０３にて撮像素子１０２から得られた電気信号をディジタル信号に変換する。該ディジタル信号変換された撮像素子１０２からの電気信号は、カメラ信号処理部１０４にて信号処理されて、メインメモリ１１２に格納される。
【００５５】
更に該カメラ信号処理部１０４からの映像信号（Nフレーム）は、ＩＰ変換部１０５に入力され、該ＩＰ変換部１０５にて、該映像信号（Nフレーム）とメインメモリ１１２から読み出された一つ前のフレームの映像信号（N−1フレーム）によって、ＩＰ変換処理が施され、該IP変換処理後、該ＩＰ変換処理後の映像信号はメインメモリ１１２に書き戻される。
【００５６】
この後、静止画の記録のためにＪＰＥＧ等の符号化処理を行う静止画符号化部１０６にて、該メインメモリ１１２に格納されているIP変換処理された映像信号がメインメモリ１１２から読み出され、静止画符号化され、メインメモリ１１２における静止画処理のみに使用される符号化データが格納される領域に格納される。
【００５７】
その後、ＪＰＥＧ等の静止画符号化手段１０６にて符号化された静止画データを格納するＳＤカード等の記録部１０７に格納される。
【００５８】
また、ＩＰ変換処理を施された映像信号は、メインメモリ１１２から読み出され、動画符号化部１０８にて、符号化され、記録信号処理部１０９にて信号処理を施され、記録媒体１１０に記録される。
【００５９】
静止画キャプチャタイミング（１）における動画処理は、動画符号化部１０８において、Iピクチャを処理している。
【００６０】
静止画連写記録時の２枚目の静止画キャプチャタイミング（２）において、撮影された被写体像はフォーカスレンズ１０１を介して、ＣＣＤ等の撮像素子１０２において電気信号に変換され、Ａ／Ｄ変換部１０３にて撮像素子１０２から得られた電気信号をディジタル信号に変換する。該ディジタル信号変換された撮像素子１０２からの電気信号は、カメラ信号処理部１０４にて信号処理されて、メインメモリ１１２に格納される。
【００６１】
更に該カメラ信号処理部１０４からの映像信号（Nフレーム）は、ＩＰ変換部１０５に入力され、該ＩＰ変換部１０５にて、該映像信号（Nフレーム）とメインメモリ１１２から読み出された一つ前のフレームの映像信号（N−1フレーム）によって、IP変換処理が施され、該IP変換処理後、該IP変換処理後の映像信号はメインメモリ１１２に書き戻される。
【００６２】
この後、静止画の記録のためにＪＰＥＧ等の符号化処理を行う静止画符号化部１０６にて、該メインメモリ１１２に格納されているＩＰ変換処理された映像信号がメインメモリ１１２から読み出され、静止画符号化され、メインメモリ１１２における静止画処理のみに使用される符号化データが格納される領域に格納される。
【００６３】
その後、ＪＰＥＧ等の静止画符号化手段１０６にて符号化された静止画データを格納するＳＤカード等の記録部１０７に格納される。
【００６４】
また、ＩＰ変換処理を施された映像信号は、メインメモリ１１２から読み出され、動画符号化部１０８にて、符号化され、記録信号処理部１０９にて信号処理を施され、記録媒体１１０に記録される。
【００６５】
静止画キャプチャタイミング（２）における動画処理は、動画符号化部１０８において、Ｂピクチャを処理している。
【００６６】
動画信号符号化処理フレームがＢピクチャの場合、動画符号化部１０８にて、符号化する際、双方向予測符号化ピクチャとなるため、過去と将来のＩピクチャまたはＰピクチャの２フレームが必要となる（参照フレームが複数）。そのため、該動画符号化部１０８からのメインメモリ１１２に対するアクセス要求が増え、システムが破綻してしまう可能性がある。
【００６７】
これを回避するために図４における静止画キャプチャタイミング（２）を静止画キャプチャタイミングにおける動画符号化処理フレームをＢピクチャ以外になるように（本実施例ではＰピクチャ）動画符号化部１０８の処理フレーム情報に基づき、同図の白抜き矢印（２）′のタイミングに移動させる。
【００６８】
また、静止画キャプチャタイミング（３）における動画処理に関しても、動画符号化部１０８において、Ｂピクチャを処理している。この場合、静止画キャプチャタイミング（３）を静止画キャプチャタイミングにおける動画符号化処理フレームをＢピクチャ以外になるように（本実施例ではＰピクチャ）動画符号化部１０８の処理フレーム情報に基づき、同図の白抜き矢印（３）′のタイミングに移動させる。
【００６９】
このように、２枚目以降の静止画キャプチャのタイミングを動画符号化フレームに応じて適応的に切り替えることにより、キャプチャ周期の変動（静止画連写のタイミングの「ずれ」）を最小限に抑えつつ、動画、静止画同時記録において画質を保持しつつ、メインメモリに対するアクセス要求を極力抑制することができ、デジタルカメラ、デジタルビデオカメラ等の撮像装置の撮影システムを破綻させることなく、高精細な静止画を得ることを可能となる。
【産業上の利用可能性】
【００７０】
本発明は、デジタルカメラ、デジタルビデオカメラ等の撮像装置、特に高解像度の静止画を扱うシステムにおいて、特に撮影画像に対する各種信号処理を実行する際、メインメモリ（例えば、ＳＤＲＡＭ）に一旦、データをバッファリングして該各種処理を実行するシステムにおいて、動画撮影時に静止画を同時に撮影する際、動画符号化フレームの種類応じて、静止画キャプチャのタイミングを適応的に切り替えることにより、静止画連写時のキャプチャ周期の変動を最低限に抑え、高精細に静止画を記録できるデジタルカメラ、デジタルビデオカメラ等の撮像装置のシステム制御方法に関するものである。
【図面の簡単な説明】
【００７１】
【図１】第一、二の実施例を説明するための撮像装置の構成図
【図２】撮像装置における各種信号処理のタイミングチャート
【図３】第一の実施例を説明するための各種信号処理のタイミングチャート
【図４】第二の実施例を説明するための各種信号処理のタイミングチャート
【符号の説明】
【００７２】
１０１  フォーカスレンズ
１０２  撮像素子
１０３  Ａ／Ｄ変換部
１０４  カメラ信号処理部
１０５  ＩＰ変換部
１０６  静止画符号化部
１０７  静止画記録媒体
１０８  動画符号化部
１０９  記録信号処理部
１１０  記録媒体
１１１  ＣＰＵ（中央演算装置）
１１２  メインメモリ
１１３  メモリ制御部
【図１】
2010034765.tif 000003
【図２】
2010034765.tif 000004
【図３】
2010034765.tif 000005
【図４】
2010034765.tif 000006